(57)【特許請求の範囲】
【請求項１】
フェムトセル用基地局を備えた通信システムに用いられ、前記フェムトセル用基地局に無線接続された不特定の無線端末に同報配信を行う同報配信制御装置であって、
前記フェムトセル用基地局の位置情報と、当該フェムトセル用基地局の配下に在圏する無線端末の特定情報とを受信する受信手段と、
所定の配信エリア区分に、当該配信エリア区分に存在するフェムトセル用基地局の位置情報と、当該フェムトセル用基地局の配下に在圏する無線端末の特定情報とを関連付けたデータベースと、
前記受信手段により受信されたフェムトセル用基地局の位置情報に基づいて前記データベースにおける関連付けを更新する更新手段と、
前記データベースに基づいて、所定の配信エリア区分に存在するフェムトセル用基地局であって、前記無線端末を収容しているフェムトセル用基地局に、同報配信における配信内容を含ませたＭＥＳＳＡＧＥメソッドのＳＩＰ（Session Initiation Protocol）メッセージを同報配信する配信手段と、を備えたことを特徴とする同報配信制御装置。
【請求項２】
前記受信手段により受信されるフェムトセル用基地局の位置情報は、当該フェムトセル用基地局に予め登録される登録位置情報を含み、
前記配信手段は、同報配信するＭＥＳＳＡＧＥメソッドのＳＩＰメッセージに少なくとも前記登録位置情報を含めることを特徴とする請求項１記載の同報配信制御装置。
【請求項３】
前記位置情報は、緯度経度情報を含み、
前記更新手段は、前記受信手段により受信されたフェムトセル用基地局の位置情報に含まれる当該フェムトセル用基地局の緯度経度情報に基づいて前記配信エリア区分への関連付けを更新することを特徴とする請求項１または２に記載の同報配信制御装置。
【請求項４】
前記更新手段は、前記受信手段によりフェムトセル用基地局の位置情報が受信される度に、前記データベースにおける関連付けを更新することを特徴とする請求項１から３の何れか１項に記載の同報配信制御装置。
【請求項５】
フェムトセル用基地局と、同報配信制御装置とに接続されて用いられるコール状態制御装置であって、
前記フェムトセル用基地局の位置情報と、当該フェムトセル用基地局の配下に在圏する無線端末の特定情報とを含むＳＩＰ（Session Initiation Protocol）メッセージを受信する位置情報受信手段と、
予め定められた契機により、前記フェムトセル用基地局の位置情報と前記特定情報とを含むＳＩＰメッセージを前記同報配信制御装置に送信する位置情報送信手段と、を備えたことを特徴とするコール状態制御装置。
【請求項６】
前記予め定められた契機は、前記フェムトセル用基地局または該フェムトセル用基地局の配下に在圏する無線端末の位置登録動作中の予め定められたタイミングとして設定されたことを特徴とする請求項５記載のコール状態制御装置。
【請求項７】
前記予め定められた契機は、前記フェムトセル用基地局または該フェムトセル用基地局の配下に在圏する無線端末の位置登録動作における予め定められた処理が完了したタイミングであることを特徴とする請求項５または６記載のコール状態制御装置。
【請求項８】
前記位置情報送信手段が前記同報配信制御装置に送信するＳＩＰメッセージは、Registerメソッドのリクエストメッセージであることを特徴とする請求項５から７の何れか１項に記載のコール状態制御装置。
【請求項９】
不特定の無線端末に同報配信を行う同報配信制御装置を備えた通信システムに用いられるフェムトセル用基地局であって、
予め定められた契機により、前記フェムトセル用基地局の位置情報を、当該フェムトセル用基地局の配下に在圏する無線端末の特定情報と含むＳＩＰ（Session Initiation Protocol）メッセージを前記同報配信制御装置に送信する位置情報送信手段を備えたことを特徴とするフェムトセル用基地局。
【請求項１０】
前記予め定められた契機は、前記フェムトセル用基地局または該フェムトセル用基地局の配下に在圏する無線端末の位置登録動作中の予め定められたタイミングとして設定されたことを特徴とする請求項９記載のフェムトセル用基地局。
【請求項１１】
前記予め定められた契機は、前記フェムトセル用基地局の認証動作中の予め定められたタイミングとして設定されたことを特徴とする請求項９記載のフェムトセル用基地局。
【請求項１２】
前記位置情報送信手段が前記同報配信制御装置に送信するＳＩＰメッセージは、Registerメソッドのリクエストメッセージであることを特徴とする請求項９から１１の何れか１項に記載のフェムトセル用基地局。
【請求項１３】
請求項１から４の何れか１項に記載の同報配信制御装置と、請求項５から８の何れか１項に記載のコール状態制御装置と、請求項９から１１の何れか１項に記載のフェムトセル用基地局と、を備え、前記フェムトセル用基地局に無線接続された不特定の無線端末に同報配信を行うよう構成されたことを特徴とする通信システム。
【請求項１４】
フェムトセル用基地局と、前記フェムトセル用基地局に無線接続された不特定の無線端末に同報配信を行う同報配信制御装置とを備えた通信システムにおける通信制御方法であって、
前記フェムトセル用基地局の位置情報と、当該フェムトセル用基地局の配下に在圏する無線端末の特定情報とを前記同報配信制御装置が受信する受信工程と、
前記受信工程により受信されたフェムトセル用基地局の位置情報に基づいて、前記同報配信制御装置が、所定の配信エリア区分に、当該配信エリア区分に存在するフェムトセル用基地局の位置情報と、当該フェムトセル用基地局の配下に在圏する無線端末の特定情報とを関連付けたデータベースの関連付けを更新する更新工程と、
前記同報配信制御装置が、前記データベースに基づいて、所定の配信エリア区分に存在するフェムトセル用基地局であって、前記無線端末を収容しているフェムトセル用基地局に、同報配信における配信内容を含ませたＭＥＳＳＡＧＥメソッドのＳＩＰ（Session Initiation Protocol）メッセージを同報配信する配信工程と、を備えたことを特徴とする通信制御方法。
【請求項１５】
前記受信工程により受信されるフェムトセル用基地局の位置情報は、当該フェムトセル用基地局に予め登録される登録位置情報を含み、
前記配信工程では、同報配信するＭＥＳＳＡＧＥメソッドのＳＩＰメッセージに少なくとも前記登録位置情報を含めることを特徴とする請求項１４記載の通信制御方法。
【請求項１６】
前記位置情報は、緯度経度情報を含み、
前記更新工程では、前記受信工程により受信されたフェムトセル用基地局の位置情報に含まれる当該フェムトセル用基地局の緯度経度情報に基づいて前記配信エリア区分への関連付けを更新することを特徴とする請求項１４または１５に記載の通信制御方法。
【請求項１７】
前記更新工程では、前記受信工程によりフェムトセル用基地局の位置情報が受信される度に、前記データベースにおける関連付けを更新することを特徴とする請求項１４から１６の何れか１項に記載の通信制御方法。
【請求項１８】
フェムトセル用基地局と、同報配信制御装置と、コール状態制御装置とを備えた通信システムにおける通信制御方法であって、
前記フェムトセル用基地局の位置情報と、当該フェムトセル用基地局の配下に在圏する無線端末の特定情報とを含むＳＩＰ（Session Initiation Protocol）メッセージを前記コール状態制御装置が受信する位置情報受信工程と、
予め定められた契機により、前記フェムトセル用基地局の位置情報と前記特定情報とを含むＳＩＰメッセージを前記コール状態制御装置が前記同報配信制御装置に送信する位置情報送信工程と、を備えたことを特徴とする通信制御方法。
【請求項１９】
前記予め定められた契機は、前記フェムトセル用基地局または該フェムトセル用基地局の配下に在圏する無線端末の位置登録動作中の予め定められたタイミングとして設定されたことを特徴とする請求項１８記載の通信制御方法。
【請求項２０】
前記予め定められた契機は、前記フェムトセル用基地局または該フェムトセル用基地局の配下に在圏する無線端末の位置登録動作における予め定められた処理が完了したタイミングであることを特徴とする請求項１８または１９記載の通信制御方法。
【請求項２１】
前記位置情報送信工程で前記同報配信制御装置に送信するＳＩＰメッセージは、Registerメソッドのリクエストメッセージであることを特徴とする請求項１８から２０の何れか１項に記載の通信制御方法。
【請求項２２】
フェムトセル用基地局と、前記フェムトセル用基地局に無線接続された不特定の無線端末に同報配信を行う同報配信制御装置とを備えた通信システムにおける通信制御方法であって、
予め定められた契機により、前記フェムトセル用基地局の位置情報と、当該フェムトセル用基地局の配下に在圏する無線端末の特定情報とを含むＳＩＰ（Session Initiation Protocol）メッセージを前記フェムトセル用基地局が前記同報配信制御装置に送信する位置情報送信工程を備えたことを特徴とする通信制御方法。
【請求項２３】
前記予め定められた契機は、前記フェムトセル用基地局または該フェムトセル用基地局の配下に在圏する無線端末の位置登録動作中の予め定められたタイミングとして設定されたことを特徴とする請求項２２記載の通信制御方法。
【請求項２４】
前記予め定められた契機は、前記フェムトセル用基地局の認証動作中の予め定められたタイミングとして設定されたことを特徴とする請求項２２記載の通信制御方法。
【請求項２５】
前記位置情報送信工程で前記フェムトセル用基地局が前記同報配信制御装置に送信するＳＩＰメッセージは、Registerメソッドのリクエストメッセージであることを特徴とする請求項２２から２４の何れか１項に記載の通信制御方法。
【請求項２６】
フェムトセル用基地局を備えた通信システムに用いられ、前記フェムトセル用基地局に無線接続された不特定の無線端末に同報配信を行う同報配信制御装置のプログラムであって、
前記フェムトセル用基地局の位置情報と、当該フェムトセル用基地局の配下に在圏する無線端末の特定情報とを前記同報配信制御装置が受信する受信手順と、
前記受信手順により受信されたフェムトセル用基地局の位置情報および特定情報に基づいて、前記同報配信制御装置が、所定の配信エリア区分に、当該配信エリア区分に存在するフェムトセル用基地局の位置情報と、当該フェムトセル用基地局の配下に在圏する無線端末の特定情報とを関連付けたデータベースの関連付けを更新する更新手順と、
前記データベースに基づいて、所定の配信エリア区分に存在するフェムトセル用基地局であって、前記無線端末を収容しているフェムトセル用基地局に、同報配信における配信内容を含ませたＭＥＳＳＡＧＥメソッドのＳＩＰ（Session Initiation Protocol）メッセージを同報配信する配信手順と、を前記同報配信制御装置のコンピュータに実行させることを特徴とする同報配信制御装置のプログラム。
【請求項２７】
前記受信手順により受信されるフェムトセル用基地局の位置情報は、当該フェムトセル用基地局に予め登録される登録位置情報を含み、
前記配信手順では、同報配信するＭＥＳＳＡＧＥメソッドのＳＩＰメッセージに少なくとも前記登録位置情報を含めることを特徴とする請求項２６記載の同報配信制御装置のプログラム。
【請求項２８】
前記位置情報は、緯度経度情報を含み、
前記更新手順では、前記受信手順により受信されたフェムトセル用基地局の位置情報に含まれる当該フェムトセル用基地局の緯度経度情報に基づいて前記配信エリア区分への関連付けを更新することを特徴とする請求項２６または２７に記載の同報配信制御装置のプログラム。
【請求項２９】
前記更新手順では、前記受信手順によりフェムトセル用基地局の位置情報が受信される度に、前記データベースにおける関連付けを更新することを特徴とする請求項２６から２８の何れか１項に記載の同報配信制御装置のプログラム。
【請求項３０】
フェムトセル用基地局と、同報配信制御装置とに接続されて用いられるコール状態制御装置のプログラムであって、
前記フェムトセル用基地局の位置情報と、当該フェムトセル用基地局の配下に在圏する無線端末の特定情報とを含むＳＩＰ（Session Initiation Protocol）メッセージを受信する位置情報受信手順と、
予め定められた契機により、前記フェムトセル用基地局の位置情報と前記特定情報とを含むＳＩＰメッセージを前記同報配信制御装置に送信する位置情報送信手順と、を備えたことを特徴とするコール状態制御装置のプログラム。
【請求項３１】
前記予め定められた契機は、前記フェムトセル用基地局または該フェムトセル用基地局の配下に在圏する無線端末の位置登録動作中の予め定められたタイミングとして設定されたことを特徴とする請求項３０記載のコール状態制御装置のプログラム。
【請求項３２】
前記予め定められた契機は、前記フェムトセル用基地局または該フェムトセル用基地局の配下に在圏する無線端末の位置登録動作における予め定められた処理が完了したタイミングであることを特徴とする請求項３０または３１記載のコール状態制御装置のプログラム。
【請求項３３】
前記位置情報送信手順で前記同報配信制御装置に送信するＳＩＰメッセージは、Registerメソッドのリクエストメッセージであることを特徴とする請求項３０から３２の何れか１項に記載のコール状態制御装置のプログラム。
【請求項３４】
不特定の無線端末に同報配信を行う同報配信制御装置を備えた通信システムに用いられるフェムトセル用基地局のプログラムであって、
予め定められた契機により、前記フェムトセル用基地局の位置情報と、当該フェムトセル用基地局に在圏する無線端末の特定情報とを含むＳＩＰ（Session Initiation Protocol）メッセージを前記フェムトセル用基地局が前記同報配信制御装置に送信する位置情報送信手順を備えたことを特徴とするフェムトセル用基地局のプログラム。
【請求項３５】
前記予め定められた契機は、前記フェムトセル用基地局または該フェムトセル用基地局の配下に在圏する無線端末の位置登録動作中の予め定められたタイミングとして設定されたことを特徴とする請求項３４記載のフェムトセル用基地局のプログラム。
【請求項３６】
前記予め定められた契機は、前記フェムトセル用基地局の認証動作中の予め定められたタイミングとして設定されたことを特徴とする請求項３４記載のフェムトセル用基地局のプログラム。
【請求項３７】
前記位置情報送信手順で前記フェムトセル用基地局が前記同報配信制御装置に送信するＳＩＰメッセージは、Registerメソッドのリクエストメッセージであることを特徴とする請求項３４から３６の何れか１項に記載のフェムトセル用基地局のプログラム。
【発明の詳細な説明】
【技術分野】
【０００１】
本発明は、例えば地震速報や災害発生情報など、所定のエリア内に存在する無線端末（ＵＥ；user equipment）への同報配信機能を有する通信システムに用いられる同報配信制御装置、コール状態制御装置、フェムトセル用基地局、通信システム、方法および装置のプログラムに関する。
【背景技術】
【０００２】
一般に、セルブロードキャストサービス（ＣＢＳ；Cell Broadcast Service）では、例えば地震速報の場合に震度が所定以上である地域など、特定の地理的エリア（１以上のセル）内に位置するすべてのＵＥへＣＢＳメッセージを同報配信する。
【０００３】
携帯電話機などのＵＥを呼接続させる既存の公衆移動通信網としての３Ｇ（third generation：第三世代移動体通信）網におけるＣＢＳメッセージの配信動作について、図１７を参照して説明する。
【０００４】
既存３Ｇ網では、ＣＢＳメッセージの配信を行うＣＢＣ（Cell Broadcast Center）が、各ＲＮＣ（Radio Network Controller）のセルＩＤによりエリア管理を行う。このため、例えば気象庁や自治体といったＣＢＥ（Cell Broadcast Entity）のサーバからＣＢＳメッセージの配信指示を受信すると、ＣＢＣは、配信対象エリアに該当するセルＩＤである各ＲＮＣにＣＢＳメッセージを配信する。
受信した各ＲＮＣは、ＢＴＳ（Base Transceiver Station）配下に在圏する各ＵＥにＣＢＳメッセージを配信し、ＣＢＣに配信成功の旨を返信する。このことにより、配信対象となる各ＵＥにＣＢＳメッセージが同報配信される。
【０００５】
また、こうした既存３Ｇ網で、任意の移動局が配信した情報をＣＢＣ経由で、配信エリア内に位置する移動局に配信するようにしたものがある（例えば、特許文献１参照）。
【０００６】
また、近年、家庭やオフィスなどに設置された有線回線を経由して移動通信コアネットワークに接続させるフェムトセル（femto cell）の可能性が注目されている。
このフェムトセルは、半径数十メートル程度の狭い通信エリアをカバーするフェムトセル用基地局（Femto AP）によりＵＥを無線接続させるものであり、主に家庭内やオフィス内といった室内の通信エリアをカバーする。このことにより、既存のマクロセル（macro cell）基地局のインフラ整備にコストをかけずに通信エリアをカバーすることを可能にしている（例えば、特許文献２参照）。
【先行技術文献】
【特許文献】
【０００７】
【特許文献１】特開２００９−１３０５５８号公報
【特許文献２】特表２００９−５０４０５１号公報
【発明の概要】
【発明が解決しようとする課題】
【０００８】
しかしながら、上述した特許文献１や既存３Ｇ網では、フェムトセルを導入する構成についてまで考慮されていなかった。
すなわち、既存３Ｇ網では各ＲＮＣが固定されており、移動されないため、位置特定情報としてのセルＩＤを各ＲＮＣに対して一意に定めることができるが、フェムトセル用基地局を導入する場合、設置場所が必ずしも固定されないため、配信先を示すＩＰアドレスを各フェムトセル用基地局に対して一意に定めることができない。このため、既存の公衆移動通信網のようにＣＢＳメッセージを配信しようにも、配信先のＩＰアドレスが一意に特定されないフェムトセル用基地局に対してＣＢＣがエリア管理する方法が存在しなかった。
【０００９】
また、上述した特許文献２のようなフェムトセル用基地局についても、フェムトセル用基地局を用いて、既存の公衆移動通信網と同様のＣＢＳメッセージ配信を実現することについてまでは考慮されていなかった。
【００１０】
本発明はこのような状況に鑑みてなされたものであり、フェムトセル用基地局を用いる通信システムで、既存の公衆移動通信網と同様に、所定の配信エリアへの同報配信を行うことができる同報配信制御装置、コール状態制御装置、フェムトセル用基地局、通信システム、方法および装置のプログラムを提供することを目的とする。
【課題を解決するための手段】
【００１１】
かかる目的を達成するために、本発明に係る同報配信制御装置は、フェムトセル用基地局を備えた通信システムに用いられ、上記フェムトセル用基地局に無線接続された不特定の無線端末に同報配信を行う同報配信制御装置であって、上記フェムトセル用基地局の位置情報を受信する受信手段と、所定の配信エリア区分に、当該配信エリア区分に存在するフェムトセル用基地局の位置情報を関連付けたデータベースと、上記受信手段により受信されたフェムトセル用基地局の位置情報に基づいて上記データベースにおける関連付けを更新する更新手段と、を備えたことを特徴とする。
【００１２】
また、本発明に係るコール状態制御装置は、フェムトセル用基地局と、同報配信制御装置とに接続されて用いられるコール状態制御装置であって、上記フェムトセル用基地局の位置情報を含むＳＩＰ（Session Initiation Protocol）メッセージを受信する位置情報受信手段と、予め定められた契機により、上記フェムトセル用基地局の位置情報を含むＳＩＰメッセージを上記同報配信制御装置に送信する位置情報送信手段と、を備えたことを特徴とする。
【００１３】
また、本発明に係るフェムトセル用基地局は、不特定の無線端末に同報配信を行う同報配信制御装置を備えた通信システムに用いられるフェムトセル用基地局であって、上記同報配信制御装置からの同報配信メッセージを受信する受信手段と、上記フェムトセル用基地局に予め登録された登録位置情報、および上記同報配信メッセージに含まれる登録位置情報を比較する比較手段と、上記比較手段による比較で一致する場合、上記フェムトセル用基地局に無線接続された無線端末に上記同報配信メッセージの配信内容を同報配信する配信手段と、を備えたことを特徴とする。
【００１４】
また、本発明に係る通信システムは、上述した本発明に係る同報配信制御装置と、上述した本発明に係るコール状態制御装置と、上述した本発明に係るフェムトセル用基地局と、を備え、上記フェムトセル用基地局に無線接続された不特定の無線端末に同報配信を行うよう構成されたことを特徴とする。
【００１５】
また、本発明に係る通信制御方法は、フェムトセル用基地局と、上記フェムトセル用基地局に無線接続された不特定の無線端末に同報配信を行う同報配信制御装置とを備えた通信システムにおける通信制御方法であって、上記フェムトセル用基地局の位置情報を上記同報配信制御装置が受信する受信工程と、上記受信工程により受信されたフェムトセル用基地局の位置情報に基づいて、上記同報配信制御装置が、所定の配信エリア区分に、当該配信エリア区分に存在するフェムトセル用基地局の位置情報を関連付けたデータベースの関連付けを更新する更新工程と、を備えたことを特徴とする。
【００１６】
また、本発明に係る他の通信制御方法は、フェムトセル用基地局と、同報配信制御装置と、コール状態制御装置とを備えた通信システムにおける通信制御方法であって、上記フェムトセル用基地局の位置情報を含むＳＩＰ（Session Initiation Protocol）メッセージを上記コール状態制御装置が受信する位置情報受信工程と、予め定められた契機により、上記フェムトセル用基地局の位置情報を含むＳＩＰメッセージを上記コール状態制御装置が上記同報配信制御装置に送信する位置情報送信工程と、を備えたことを特徴とする。
【００１７】
また、本発明に係るさらに他の通信制御方法は、フェムトセル用基地局と、上記フェムトセル用基地局に無線接続された不特定の無線端末に同報配信を行う同報配信制御装置とを備えた通信システムにおける通信制御方法であって、上記同報配信制御装置からの同報配信メッセージを上記フェムトセル用基地局が受信する受信工程と、上記フェムトセル用基地局に予め登録された登録位置情報、および上記同報配信メッセージに含まれる登録位置情報を上記フェムトセル用基地局が比較する比較工程と、上記比較工程による比較で一致する場合、上記フェムトセル用基地局が、当該フェムトセル用基地局に無線接続された無線端末に上記同報配信メッセージの配信内容を同報配信する配信工程と、を備えたことを特徴とする。
【００１８】
また、本発明に係る同報配信制御装置のプログラムは、フェムトセル用基地局を備えた通信システムに用いられ、上記フェムトセル用基地局に無線接続された不特定の無線端末に同報配信を行う同報配信制御装置のプログラムであって、上記フェムトセル用基地局の位置情報を上記同報配信制御装置が受信する受信手順と、上記受信手順により受信されたフェムトセル用基地局の位置情報に基づいて、上記同報配信制御装置が、所定の配信エリア区分に、当該配信エリア区分に存在するフェムトセル用基地局の位置情報を関連付けたデータベースの関連付けを更新する更新手順と、を上記同報配信制御装置のコンピュータに実行させることを特徴とする。
【００１９】
また、本発明に係るコール状態制御装置のプログラムは、フェムトセル用基地局と、同報配信制御装置とに接続されて用いられるコール状態制御装置のプログラムであって、上記フェムトセル用基地局の位置情報を含むＳＩＰ（Session Initiation Protocol）メッセージを受信する位置情報受信手順と、予め定められた契機により、上記フェムトセル用基地局の位置情報を含むＳＩＰメッセージを上記同報配信制御装置に送信する位置情報送信手順と、を備えたことを特徴とする。
【００２０】
また、本発明に係るフェムトセル用基地局のプログラムは、不特定の無線端末に同報配信を行う同報配信制御装置を備えた通信システムに用いられるフェムトセル用基地局のプログラムであって、上記同報配信制御装置からの同報配信メッセージを受信する受信手順と、上記フェムトセル用基地局に予め登録された登録位置情報、および上記同報配信メッセージに含まれる登録位置情報を比較する比較手順と、上記比較手順による比較で一致する場合、上記フェムトセル用基地局に無線接続された無線端末に上記同報配信メッセージの配信内容を同報配信する配信手順と、を上記フェムトセル用基地局のコンピュータに実行させることを特徴とする。
【発明の効果】
【００２１】
以上のように、本発明によれば、フェムトセル用基地局を用いる通信システムで、既存の公衆移動通信網と同様に、所定の配信エリアへの同報配信を行うことができる。
【図面の簡単な説明】
【００２２】
【図１】本発明の実施形態の動作を概念的に示す図である。
【図２】本実施形態としての通信システムの構成例を示すブロック図である。
【図３】本実施形態によるエリア管理の概要を既存３Ｇ網と対比して示す図である。
【図４】ＳＡＩのフォーマット例を示す図である。
【図５】ＧＥＯａｒｅａのフォーマット例を示す図である。
【図６】ＣＢＣ／ＡＳ９６にFemto APの位置情報などを登録する動作パターン例を示す図である。
【図７】図６のＣａｓｅ＃１〜＃３の場合における構成パターン例を示す図である。
【図８】ＵＥの初回位置登録の際にFemto AP２の位置情報などを登録する動作例を示すシーケンス図である。
【図９】ＵＥの初回位置登録の際にFemto AP２の位置情報などを登録する他の動作例を示すシーケンス図である。
【図１０】Femto AP起動の際にそのFemto AP２の位置情報などを登録する動作例を示すシーケンス図である。
【図１１】ＵＥの電源がＯＦＦ（IMSI.detach）された場合の動作例を示すシーケンス図である。
【図１２】ＣＢＣ／ＡＳ９６のデータベース構造を説明するための図である。
【図１３】ＵＥ１がFemto APの配下からMacro網に移動した場合の動作例を示すシーケンス図である。
【図１４】ＣＢＣ／ＡＳ９６がＣＢＳメッセージを同報配信する動作例を示すシーケンス図である。
【図１５】ＣＢＳメッセージ同報配信の他の動作例を示すシーケンス図である。
【図１６】ＣＢＳメッセージ同報配信のさらに他の動作例を示すシーケンス図である。
【図１７】既存３Ｇ網におけるＣＢＳメッセージの配信動作例を示すシーケンス図である。
【発明を実施するための形態】
【００２３】
次に、本発明に係る同報配信制御装置、コール状態制御装置、フェムトセル用基地局、通信システム、方法および装置のプログラムを適用した一実施形態について、図面を用いて詳細に説明する。
【００２４】
まず、本実施形態の概略について、図１を参照して説明する。
本実施形態によるFemto IMS（IP Multimedia subsystem）網では、フェムトセル用基地局（Femto AP；Femto Access Point）により無線端末であるＵＥの呼接続を行い、３ＧＰＰ（3rd Generation Partnership Project）などの規格に定められた範囲内で、既存の公衆移動通信網と同様にＣＢＳメッセージの同報配信に対応できるようにしている。
【００２５】
このため、本実施形態では、ＣＢＣにＡＳ（application server）を設けて各Femto APのエリア管理の機能を担当させ、本実施形態によるFemto IMS網へのＣＢＳメッセージ配信に対応できるようにしている。
このことにより、ＣＢＣから配信されたＣＢＳメッセージは、ＣＳＣＦといったFemto IMS網のコアネットワークを構成する装置を介して、指定エリア内のFemto APに配信され、配下に在圏するＵＥに配信される。
【００２６】
こうして、気象庁や自治体といったＣＢＥのサーバからＣＢＳメッセージの配信指示がＣＢＣに送信された場合、既存３Ｇ網に収容されるＵＥにも、本実施形態によるFemto IMS網に収容されるＵＥにも、同様にＣＢＳメッセージの同報送信が行われるようになっている。
【００２７】
次に、本実施形態としての通信システムについて詳細に説明する。
本実施形態の通信システムは、図２に示すように、Macro網と、Femto IMS網と、を有して構成される。
【００２８】
Macro網は、公知の既存３Ｇ網である。Macro網は、ＵＥ（User Equipment）１と、ＢＴＳ９１と、ＲＮＣ９２と、ＭＳＣ（Mobile Services Switching Centre）９３と、ＶＬＲ（Visitor Location Register）９４と、ＳＭＳＣ（Short Message Service Center）９５と、ＣＢＣ９６と、ＨＬＲ（Home Location Register）８と、ＥＩＲ（Equipment Identify Register）９と、を備えて構成される。
【００２９】
ＣＢＣ９６は、気象庁や自治体といったＣＢＥのサーバ９７に接続される。
また、ＣＢＣ９６には、Femto IMS網へのエリア管理等の機能を備えたＡＳが接続される。このＡＳは、ＣＢＣ内部の基板として設けられてもよく、ＣＢＣ内のソフトウェアにより実現されてもよく、別筐体の装置として設けられてもよい。こうしてＣＢＣとＡＳとが接続されることにより、ＣＢＳメッセージの配信制御を行う同報配信制御装置として機能する。
【００３０】
Macro網を構成するＵＥ１、ＢＴＳ９１、ＲＮＣ９２、ＭＳＣ９３、ＶＬＲ９４、ＳＭＳＣ９５、ＣＢＣ９６、ＨＬＲ８、ＥＩＲ９は、３ＧＰＰ等の規格に準拠した処理を行う装置であるため、具体的な処理動作については省略する。既存のMacro網に利用されている技術については、例えば3GPP TS 33.234 V8.0.0（2007-12）等に開示されている。
【００３１】
Femto IMS網は、所定の通信エリアを構築するFemto AP２と、Femto AP-OSS（Operation Support System）２１と、ネットワークを介して各Femto AP２を接続させるＰＤＧ（Packet Data Gateway）３とが、コアネットワークに接続されて構成される。
コアネットワークは、Ｐ−ＣＳＣＦ（Proxy-Call Session Control Function）４１と、Ｓ−ＣＳＣＦ（Serving-Call Session Control Function）４２と、ＩＰショートメッセージゲートウェイ装置（ＩＰＳＭＧＷ；IP Short Message Gateway）５と、ＨＳＳ／ＭＡＰＧＷ（Home Subscriber Server / Mobile Application Part Gateway）６と、を含んで構成される。
【００３２】
Femto AP２は、半径数十メートル程度の狭い通信エリアをカバーする小型無線基地局である。
Femto AP-OSS２１は、ネットワークを介してFemto AP２の設定や監視を行うための装置である。
【００３３】
ＰＤＧ３は、メッセージを中継する装置である。
【００３４】
ＣＳＣＦは、ＳＩＰ（Session Initiation Protocol）を用いたセッション制御、管理、認証、ルーティング等の機能を有する。Ｐ−ＣＳＣＦ４１は、端末と接するＣＳＣＦであり、Ｓ−ＣＳＣＦ４２は、セッション制御の中心となるＣＳＣＦである。
【００３５】
ＩＰＳＭＧＷ５は、ショートメッセージの配信制御及び、付加サービス制御など制御情報の判断、配信制御を行う。
【００３６】
ＨＳＳ／ＭＡＰＧＷ６は、ＶＬＲ（Visitor Location Register）６１を有し、Femto IMS網に接続されるＵＥ１の加入者情報を管理する。ＨＳＳ／ＭＡＰＧＷ６は、ＵＥ１の加入者情報をＨＬＲ８から取得し、その取得したＵＥ１の加入者情報をＶＬＲ６１に格納して管理する。
【００３７】
また、ＨＳＳ／ＭＡＰＧＷ６は、ＤＩＡＭＥＴＥＲなどＭＡＰ以外のプロトコルによる回線とＭＡＰのプロトコルによる回線とを接続させ、このＭＡＰ以外のプロトコルによる信号とＭＡＰのプロトコルによる信号とを相互に変換するＭＡＰＧＷ機能を備える。このように、ＨＳＳ／ＭＡＰＧＷ６は、ＨＳＳがＭＡＰＧＷ機能を内部に備えて構成される。
【００３８】
ＡＡＡ（Authentication Authorization Accounting）７は、ＵＥ１とネットワーク間の認証処理を行う装置である。
【００３９】
ＥＩＲ９は、不正に使用されているとオペレータにより判定された無線端末のＩＭＥＩリストを、予めオペレータの入力により格納する。Check IMEI（ＩＭＥＩのチェック要求）の信号を受信すると、受信したＩＭＥＩが不正ＩＭＥＩリストに含まれるか否かをチェックし、その判定結果を返送する。
【００４０】
次に、本実施形態によるエリア管理の概要について、図３を参照して、既存３Ｇ網と対比しながら説明する。
【００４１】
一般に、ＣＢＣ９６は、気象庁などのＣＢＥ９７で管理される“予報区”の各エリア区分と、国土地理院などによる行政界情報を格納する。行政界情報とは、行政区画の境界を示す情報であり、例えば都府県界、北海道の支庁界、郡市や東京都の区界、町村や政令市の区界などのエリア区分情報である。
【００４２】
既存３Ｇ網でＣＢＳメッセージを配信する場合、ＣＢＥ９７から特定の“予報区”に対して、例えば地震速報などのＣＢＳメッセージの配信指示をＣＢＣ９６が受信すると、受信した“予報区”に対応する行政界情報を判別し、そのエリア区分に含まれるＲＮＣ９２にＣＢＳメッセージを配信する。
【００４３】
このように、ＣＢＣ９６は、既存３Ｇ網でのＣＢＳメッセージ配信のため、各ＲＮＣの位置情報を管理する外部データベース（基地局管理データベース）から取得した位置情報と、行政界情報と、“予報区”の各エリア区分とを関連付けて格納する。
外部データベースからＣＢＣ９６が取得する各ＲＮＣの位置情報は、ＬＡＣ（Location Area Code）、ＳＡＣ（Service Area Code）、セルＩＤ、基地局ＩＤ、設置位置の緯度、経度、ＩＰアドレスなどである。
【００４４】
ＲＮＣ９２は通常、設置位置が通信事業者により設定されているため、ＣＢＣ９６は、外部データベースからのＲＮＣの位置情報収集を、ＦＴＰ（File Transfer Protocol）により１日１回程度の所定頻度で行い、収集の度にその位置情報と、行政界情報と、“予報区”の各エリア区分との関連づけを更新して格納する。
【００４５】
しかしながら、本実施形態によるFemto IMS網では、Femto AP２がユーザに近い場所に設置されるため、Femto AP２をユーザによって再起動される可能性もあり、また、設置位置を少し移動される可能性なども考えられる。
Femto AP２のＩＰアドレスは再起動の度に新規に割り当てられるため、上述した既存３Ｇ網のように１日１回程度の位置情報収集では、Femto AP２がユーザによって再起動されてしまうと、ＩＰアドレスが変わってしまい、ＣＢＳメッセージが正常に配信されない虞があった。
【００４６】
さらに、本実施形態によるFemto IMS網では、各Femto APの位置情報を管理する外部データベースも存在しないため、ＣＢＳメッセージ配信のための位置情報を各Femto APから収集する必要がある。
【００４７】
このため、本実施形態によるFemto IMS網では、ＣＢＣ９６に接続されているＡＳが、Femto AP２からコアネットワークへの位置登録動作の際にそのFemto AP２の位置情報を収集する。
【００４８】
本実施形態によるFemto AP２の位置情報収集では、Femto IMS網のコアネットワークからＣＢＣ／ＡＳ９６というFemto IMS網外部の装置宛のSIP:Register（RegisterメソッドのＳＩＰリクエストメッセージ）、いわゆる3rd Party Registerに収集対象の位置情報を格納し、位置情報の送受信を行う。
3rd Party Register信号に格納される収集対象の位置情報は、ＳＡＩ（Service Area Identification）と、ＧＥＯａｒｅａと、割り当てられているＩＰアドレス（Inner-IP）などである。また、他の収集対象の情報として、Registerの有効期限情報などがある。
【００４９】
ＳＡＩ（登録位置情報）は、システムの運用者が予め定めておく値であり、図４に例示するように、ＭＣＣ（Mobile Country Code）、ＭＮＣ（Mobile Network Code）、ＬＡＣ、ＳＡＣのパラメータを有するフォーマットとして規定される。
【００５０】
ＧＥＯａｒｅａは、図５に例示するようなフォーマットで規定され、発信元装置の緯度経度情報を含む位置情報を示すものである。
【００５１】
こうして位置登録毎にFemto AP２の位置情報を収集することで、ＣＢＣ９６に接続されているＡＳは、ＧＥＯａｒｅａに含まれる緯度経度情報を用いて、収集の度に、行政界情報と、“予報区”の各エリア区分への、Femto AP２の位置情報の関連付けを更新して格納する。
【００５２】
Femto AP２には、設置の際などの初期設定時に、Femto AP-OSS２１により、ＳＡＩ（登録位置情報）とＧＥＯａｒｅａとがシステムの運用者により設定登録される。Femto AP２は、これらの初期設定情報を記憶部（不図示）に記憶する。
ＳＡＩにおけるＬＡＣ値は、例えば設置場所から決定でき、ＳＡＣ値は、例えばFemto APごとにユニークに付与してもよい。また、ＧＥＯａｒｅａは、設置場所により決定される。
【００５３】
このようにFemto AP-OSS２１は、Femto AP２に各種の位置情報を設定するＺＭＳ（Zone Management System）として機能する。
【００５４】
また、ＵＥ１のコアネットワークへの位置登録の際にFemto AP２の位置情報をＣＢＣ／ＡＳ９６に登録する場合、そのＵＥ１を特定する特定情報も3rd Party Register信号に格納されて送信され、Femto AP２の位置情報に関連付けられてＣＢＣ／ＡＳ９６に登録される。ＵＥ１を特定する特定情報としては、例えばＩＭＳＩ（International Mobile Subscriber Identity）、ＭＳＩＳＤＮ（Mobile Subscriber ISDN Number；電話番号）などを用いてよい。
【００５５】
こうしてＣＢＣ／ＡＳ９６がFemto AP２の配下に在圏するＵＥ１の特定情報を格納することにより、ＣＢＳメッセージを配信する際、ＵＥ１を無線で収容していないFemto AP２にはＣＢＳメッセージを配信せず、ＵＥ１を無線で収容しているFemto AP２にだけＣＢＳメッセージを配信するように制御することができる。このことにより、ＣＢＳメッセージ配信による不要なトラフィックを削減することができる。
【００５６】
次に、本実施形態によるＣＢＣ／ＡＳ９６にFemto APの位置情報などを登録または削除する動作のパターンについて、図６を参照して説明する。
【００５７】
ＣＢＣ／ＡＳ９６は、上述のように、ＵＥ１のコアネットワークへの位置登録がFemto AP２配下から行われた時、そのFemto AP２の位置情報およびＵＥ１の特定情報を3rd Party Registerにより収集する。
ＵＥ１の位置登録は、図６のＣａｓｅ＃１、＃２に例示するように、ＦＡＰ（Femto AP）による所定周期での位置登録更新（ReRegister）の場合や、ＵＥ１が移動することにより別なFemto AP配下に在圏する場合などに行われる。
【００５８】
図６のＣａｓｅ＃１、すなわちFemto AP２による周期的な位置登録更新の場合には、Femto AP２の位置情報およびＵＥ１の特定情報は変化していないので、ＣＢＣ／ＡＳ９６に対してはそのまま登録された情報を更新させることとなる。
【００５９】
図６のＣａｓｅ＃２、すなわちＵＥ１が移動することにより別なFemto AP配下に在圏する場合には、移動先のFemto AP２について、新規にＩＰアドレスやＳＡＩ、ＧＥＯａｒｅａなどの各種位置情報をＣＢＣ／ＡＳ９６に登録することとなる。
【００６０】
また、図６のＣａｓｅ＃３、すなわちFemto AP２の再起動によりコアネットワークへの再接続を行う場合にも、Femto AP２の位置登録が行われる。この場合、Femto AP２に割り当てられるＩＰアドレスが変更されて、位置情報がＣＢＣ／ＡＳ９６に登録されることとなる。また、Femto AP配下に在圏するＵＥ１が存在する場合、そのＵＥ１それぞれについての特定情報をＣＢＣ／ＡＳ９６に登録する。
【００６１】
また、図６のＣａｓｅ＃４、すなわちＵＥの電源がＯＦＦ（IMSI.detach）された場合、図６のＣａｓｅ＃５、すなわちＵＥがFemto APの配下からMacro網に移動した場合、図６のＣａｓｅ＃６、すなわちＵＥが解約された場合、のそれぞれについては、Femto IMS網のコアネットワークからSIP:NOTIFYによりＣＢＣ／ＡＳ９６に削除指示を送信し、ＵＥ１の特定情報をＣＢＣ／ＡＳ９６の格納データから削除させる。
【００６２】
次に、図６のＣａｓｅ＃１〜＃３の場合、すなわち本実施形態によるＣＢＣ／ＡＳ９６にFemto APの位置情報などを登録する動作を実現する各構成例について、図７を参照して説明する。
【００６３】
まず、図７の構成例１として、コアネットワークへの位置登録が行われた際に、Femto AP２の位置情報およびＵＥ１の特定情報を格納する3rd Party Registerを、Ｓ−ＣＳＣＦ４２からＣＢＣ／ＡＳ９６に送信する構成が考えられる。
このように構成することにより、Ｓ−ＣＳＣＦ４２がエンドユーザ情報（UE.IMSI）を管理するため、本実施形態により説明するＣＢＳだけでなく、ＵＥ１の在圏・離圏管理や各種のＩＭＳ付加サービスにも構成を応用することができる。
【００６４】
また、図７の構成例２として、コアネットワークへの位置登録が行われた際に、Femto AP２の位置情報およびＵＥ１の特定情報を格納する3rd Party Registerを、そのFemto AP２がＣＢＣ／ＡＳ９６に送信する構成が考えられる。
このように構成することにより、Femto AP２がエンドユーザ情報（UE.IMSI）を管理するため、本実施形態により説明するＣＢＳだけでなく、ＵＥ１の在圏・離圏管理や各種のＩＭＳ付加サービスにも構成を応用することができる。
【００６５】
また、図７の構成例３として、Femto AP２の起動によりIP Sec（IP security protocol）トンネルが確立された際に、Femto AP２の位置情報を格納する3rd Party Registerを、そのFemto AP２がＣＢＣ／ＡＳ９６に送信する構成が考えられる。
このように構成することにより、ＣＢＣ／ＡＳ９６がエンドユーザ情報（UE.IMSI）を管理しない構成とすることもできるため、ＩＭＳ方式だけでなく、ＲＡＮ（Radio Access Network）−ＧＷ方式のシステムにも構成を応用することができる。
【００６６】
次に、図６のＣａｓｅ＃１〜＃３の場合における図７の構成例１の動作について、すなわちコアネットワークへの位置登録が行われた時に、Ｓ−ＣＳＣＦ４２からの3rd Party Registerにより、ＣＢＣ／ＡＳ９６にFemto AP２の位置情報およびＵＥ１の特定情報を登録する場合の動作例について、図８のシーケンス図を参照して説明する。
【００６７】
この図８に示す動作例では、ＵＥ１が新規にFemto AP２の配下に在圏することによる初回位置登録の場合を例として説明する。また、ＵＥ１のＩＭＥＩが不正なものでなく、ＩＭＥＩのチェック要求をＥＩＲ９に送信した結果、不正でない旨のメッセージが正常応答として返送された場合について示す。
なお、位置登録が正常に完了しない場合や、ＩＭＥＩのチェックにより不正であると判定された場合には、ＵＥ１は使用不能となり、本動作例によるＣＢＣへの位置情報登録も行われないこととなる。
【００６８】
本実施形態の通信システムは、複数のFemto AP２を備え、ＵＥ１がこれらFemto AP間を移動できる構成となっている。このため、Femto AP２は、配下に在圏するＵＥ１の加入者情報（ＣＳ／ＰＳ）を管理する。ＣＳはCircuit Switchingであり、ＰＳはPacket Switchingである。
【００６９】
Femto AP２によるＵＥ１の加入者情報（ＣＳ／ＰＳ）の管理は、ＵＥ１がFemto AP２を介してＣＳの位置登録処理とＰＳの位置登録処理を、順次コアネットワーク側と行うことで実現する。
【００７０】
本動作例では、このＣＳの位置登録として、ＵＥ１の位置情報をＶＬＲ６１などコアネットワークに登録させるトランザクションが完了したことを契機に、Femto AP２が、ＵＥ１のＩＭＥＩＳＶ（IMEI Software Version number）をＳＩＰのＭＥＳＳＡＧＥメソッドでのリクエストメッセージに含めてＩＰＳＭＧＷ５に送信する。そして、ＥＩＲ９がこのＩＭＥＩＳＶを用いてＩＭＥＩのチェックを行い、ＩＭＥＩが不正端末のものでないと判定され、ＵＥ１の位置登録が完了したことを契機に、Ｓ−ＣＳＣＦ４２が、Femto AP２の位置情報およびＵＥ１の特定情報を含む3rd Party Register信号をＣＢＣ／ＡＳ９６に送信する。
【００７１】
まず、ＵＥ１が新規にFemto AP２の配下に在圏しようとする場合、ＵＥ１はＣＳサービスの位置登録を開始することになる（初回位置登録）。このため、ＵＥ１は、Femto AP２に無線通信接続すると（ステップＡ１）、Location Update RequestをFemto AP２に送信する（ステップＡ２）。
【００７２】
Femto AP２は、Location Update Requestを受信すると、ＵＥ１にＩＭＳＩについてのID-Requestを送信する。ＵＥ１がＩＭＳＩを含むID-ResponseをFemto AP２に送信すると（ステップＡ３）、Femto AP２は、ＩＭＥＩＳＶについてのID-Requestを送信する。ＵＥ１は、ＩＭＥＩＳＶを含むID-ResponseをFemto AP２に返信する（ステップＡ４）。
【００７３】
Femto AP２は、ID-Responseを受信すると、ＰＤＧ３との間でIKE SA（Internet Key Exchange-Security Authentication）を確立し（ステップＡ５）、ＡＰＮ（Access Point Name）と、ＮＡＩ（Network Access Identifier）とを、IKE-AUTH Requestに含めてＰＤＧ３に送信する。IKE-AUTHは、Internet Key Exchange-AUTHenticationである。ＡＰＮは、ネットワークの連結ポイントを特定するための情報である。ＮＡＩは、ネットワークのアクセスを特定するための情報である。
【００７４】
ここで、Femto AP２は、Location Update RequestをＵＥ１から受信しているため、ＣＳサービスの位置登録と判断し、"0CS0<UE_IMSI>/<Femto_IMSI>@realmname"のＮＡＩをＰＤＧ３に送信する。"0CS0"は、ＣＳサービスの位置登録である旨を意味する情報である。"<UE_IMSI>"は、ＵＥを特定するための情報であり、ＵＥ１から受け付けたID-Responseに含まれているIMSI.UEである。"<Femto_IMSI>"は、Femto AP２を特定するための情報である。
【００７５】
ＰＤＧ３は、IKE-AUTH Requestを受信した場合に、Dia-EAP-RequestをＡＡＡ７に送信する（ステップＡ６）。Dia-EAPは、Diameter-Extensible Authentication Protocolである。
【００７６】
ＡＡＡ７は、Dia-EAP-Requestを受信した場合に、Dia-EAP-Requestに含まれているＮＡＩを基に、ＣＳサービスの位置登録と判断する。このため、Dia-Wx-MARにIMSI.UEを含めてＨＳＳ／ＭＡＰＧＷ６に送信する（ステップＡ７）。Dia-Wx-MARは、Diameter-Wx-Multimedia Authentication Requestである。
【００７７】
ＨＳＳ／ＭＡＰＧＷ６は、Dia-Wx-MARを受信した場合に、MAP-SAI invocation[CS]をＨＬＲ８に送信する（ステップＡ８）。MAP-SAIは、MAP-Send Authentication Informationである。［CS］は、Circuit Switchingの意味である。ＨＳＳ／ＭＡＰＧＷ６は、Dia-Wx-MARに含まれているIMSI.UEをMAP-SAI invocation[CS]に含めて送信する。
【００７８】
ＨＬＲ８は、MAP-SAI invocation[CS]を受信した場合に、MAP-SAI AckをＨＳＳ／ＭＡＰＧＷ６に送信する（ステップＡ９）。ＨＬＲ８は、MAP-SAI invocation[CS]に含まれているIMSI.UEに対応するRAND/AUTN/CK/IK/XRESを取得し、その取得したRAND/AUTN/CK/IK/XRESをMAP-SAI Ackに含めて送信する。
【００７９】
RAND/AUTN/CK/IK/XRESは、３ＧＰＰに準拠した情報である。RANDは、Random challengeであり、AUTNは、Authentication Tokenであり、CKは、Cipher Keyであり、IKは、Integrity Keyであり、XRESは、Expected RESponseである。
【００８０】
なお、本動作例では、ＨＬＲ８は、RAND/AUTN/CK/IK/XRESをMAP-SAI Ackに含めて送信している（EAP-AKA認証）。しかし、RAND/AUTN/KC/RESをMAP-SAI Ackに含めて送信する動作であってもよい（EAP-SIM認証）。EAP-AKA認証（UMTS（Universal Mobile Telecommunications System）認証)、EAP-SIM認証（GSM（Global System for Mobile Communications）認証)は、ＵＥ１の加入者が契約しているNWの能力によりＨＬＲ８が選択することになる。
【００８１】
ＨＳＳ／ＭＡＰＧＷ６は、MAP-SAI Ackを受信した場合に、Dia-Wx-MAAをＡＡＡ７に送信する（ステップＡ１０）。Dia-Wx-MAAは、Diameter-Wx-Multimedia Authentication Answerである。ＨＳＳ／ＭＡＰＧＷ６は、MAP-SAI Ackに含まれているRAND/AUTN/CK/IK/XRESをDia-Wx-MAAに含めて送信する。
【００８２】
ＡＡＡ７は、Dia-Wx-MAAを受信した場合に、Dia-EAP-AnswerをＰＤＧ３に送信する。ＡＡＡ７は、Dia-Wx-MAAに含まれているRAND/AUTN/CK/IKをDia-EAP-Answerに含めて送信する。
【００８３】
ＰＤＧ３は、Dia-EAP-Answerを受信した場合に、IKE-AUTH ResponseをFemto AP２に送信する（ステップＡ１１）。ＰＤＧ３は、EAP-Request/AKA-Challengeと、Dia-EAP-Answerに含まれているRAND/AUTN/CK/IKと、をIKE-AUTH Responseに含めて送信する。AKAは、Authentication and Key Agreementである。
【００８４】
Femto AP２は、IKE-AUTH Responseを受信した場合に、Authentication RequestをＵＥ１に送信する（ステップＡ１２）。Femto AP２は、IKE-AUTH Responseに含まれているRAND/AUTNをAuthentication Requestに含めて送信する。
【００８５】
ＵＥ１は、Authentication Requestを受信した場合に、そのAuthentication Requestに含まれているRAND/AUTNを基に、認証演算を行う。認証演算は、３ＧＰＰに準拠した方法で行われる。
【００８６】
ＵＥ１は、ＲＥＳを算出し、その算出したＲＥＳをAuthentication Responseに含めてFemto AP２に送信する（ステップＡ１３）。ＲＥＳの算出は、３ＧＰＰに準拠した方法で行う。
【００８７】
Femto AP２は、Authentication Responseを受信した場合に、IKE-AUTH RequestをＰＤＧ３に送信する。Femto AP２は、EAP-Response/AKA-Challengeと、Authentication Responseに含まれているＲＥＳと、をIKE-AUTH Requestに含めて送信する。
【００８８】
ＰＤＧ３は、IKE-AUTH Requestを受信した場合に、Dia-EAP-RequestをＡＡＡ７に送信する（ステップＡ１４）。ＰＤＧ３は、ＭＡＣ（Message Authentication Code）を算出し、ＲＥＳ、ＭＡＣをDia-EAP-Requestに含めて送信する。ＭＡＣの算出は、３ＧＰＰに準拠した方法で行う。
【００８９】
ＡＡＡ７は、Dia-EAP-Requestを受信した場合に、ＵＥ認証を行う。ＵＥ認証は、３ＧＰＰに準拠した方法で行う。ＡＡＡ７は、ＵＥ認証が成功した場合に、Dia-EAP-AnswerをＰＤＧ３に送信する。ＡＡＡ７は、EAP-SuccessをDia-EAP-Answerに含めて送信する。
【００９０】
ＰＤＧ３は、Dia-EAP-Answerを受信した場合に、IKE-AUTH ResponseをFemto AP２に送信する（ステップＡ１５）。ＰＤＧ３は、EAP-SuccessをIKE-AUTH Responseに含めて送信する。
【００９１】
こうしてステップＡ５〜Ａ１５による認証のトランザクションが完了すると、Femto AP２とＵＥ１との通信は、Security Mode Commandを用いる３ＧＰＰに準拠した方法での秘匿処理で行われる。
【００９２】
また、Femto AP２は、Message TypeがRegisterであるSIP:RegisterをＰ−ＣＳＣＦ４１に送信する（ステップＡ１７）。Femto AP２は、予めFemto AP-OSS２１により設定されているＳＡＩ、ＧＥＯａｒｅａ、割り当てられているＩＰアドレス（Inner-IP）といったFemto AP２の位置情報と、Registerの有効期限情報と、IMSI.UEやMSISDN.UEといったＵＥ１の特定情報と、をこのSIP:Registerに含めてＰ−ＣＳＣＦ４１に送信する。
【００９３】
Ｐ−ＣＳＣＦ４１は、SIP:Registerを受信した場合に、新規のＵＥ１の加入者情報（Femto AP２のRegister情報）のCall IDであるSIP:Registerを受信したと判断する。この場合、Ｐ−ＣＳＣＦ４１は、Macro網からFemto APへの移動や電源ＯＮなどによるＵＥ１の新規位置登録と判断し、Dia-Cx-UARをＨＳＳ／ＭＡＰＧＷ６に送信する（ステップＡ１８）。
【００９４】
ＨＳＳ／ＭＡＰＧＷ６は、Dia-Cx-UARを受信した場合に、Dia-Cx-UAAをＰ−ＣＳＣＦ４１に送信する（ステップＡ１９）。Ｐ−ＣＳＣＦ４１は、こうしてDia-Cx-UAAの返信を受けると、Femto AP２から受信したＳＡＩ、ＧＥＯａｒｅａ、割り当てられているＩＰアドレス（Inner-IP）といったFemto AP２の位置情報と、Registerの有効期限情報と、IMSI.UEやMSISDN.UEといったＵＥ１の特定情報と、をSIP:Registerに含めてＳ−ＣＳＣＦ４２に送信する（ステップＡ２０）。
【００９５】
Ｓ−ＣＳＣＦ４２は、SIP:Registerを受信した場合に、同様にＵＥ１の新規位置登録と判断し、Dia-Cx-SARをＨＳＳ／ＭＡＰＧＷ６に送信する。SARは、Server-Assignment-Requestである。Ｓ−ＣＳＣＦ４２は、IMSI.UEをDia-Cx-SARに含めて送信する（ステップＡ２１）。
【００９６】
ＨＳＳ／ＭＡＰＧＷ６は、Dia-Cx-SARを受信した場合に、MAP-Update Location invocation［CS］をＨＬＲ８に送信する（ステップＡ２２）。ＨＳＳ／ＭＡＰＧＷ６は、IMSI.UEをMAP-Update Location invocationに含めて送信する。
【００９７】
ＨＬＲ８は、MAP-Update Location invocationを受信した場合に、ＵＥ１の加入者情報を３ＧＰＰに準拠した方法で登録し（ステップＡ２９）、MAP-Insert Subscriber Data invocationをＨＳＳ／ＭＡＰＧＷ６に送信する（ステップＡ２３）。ＨＬＲ８は、加入者情報をMAP-Insert Subscriber Data invocationに含めて送信する。
【００９８】
ＨＳＳ／ＭＡＰＧＷ６は、MAP-Insert Subscriber Data invocationを受信した場合に、そのMAP-Insert Subscriber Data invocationに含まれる加入者情報を基に、ＵＥ１の加入者情報を作成する。ＨＳＳ／ＭＡＰＧＷ６は、ＵＥ１の加入者情報をＶＬＲ６１に登録し、ＵＥ１の加入者情報（ＣＳ）をＶＬＲ６１で管理する。この場合、ＨＳＳ／ＭＡＰＧＷ６は、ＵＥ１の加入者情報（ＣＳ）をFemto AP２の情報と対応付けてＶＬＲ６１で管理する。（ステップＡ３０）。
【００９９】
次に、ＨＳＳ／ＭＡＰＧＷ６は、MAP-Insert Subscriber Data AckをＨＬＲ８に送信する（ステップＡ２４）。
【０１００】
ＨＬＲ８は、MAP-Insert Subscriber Data Ackを受信した場合に、MAP-Update Location AckをＨＳＳ／ＭＡＰＧＷ６に送信する（ステップＡ２５）。
【０１０１】
ＨＳＳ／ＭＡＰＧＷ６は、MAP-Update Location Ackを受信した場合に、Dia-Cx-SAAをＳ−ＣＳＣＦ４２に送信する（ステップＡ２６）。SAAは、Server-Assignment-Answerである。ＨＳＳ／ＭＡＰＧＷ６は、MSISDNをDia-Cx-SAAに含めて送信する。
【０１０２】
Ｓ−ＣＳＣＦ４２は、Dia-Cx-SAAを受信した場合に、MSISDNを含めたSIP-200 OKをＰ−ＣＳＣＦ４１を介してFemto AP２に送信する（ステップＡ２７）。また、Ｓ−ＣＳＣＦ４２は、Femto AP２から受信したSIP:Registerの情報をＵＥ１の加入者情報（ＣＳ）と対応付けて管理する。これにより、Ｓ−ＣＳＣＦ４２は、ＵＥ１の加入者情報（ＣＳ）をFemto AP２に対応付けて管理することになる（ステップＡ３１）。
【０１０３】
また、ＨＳＳ／ＭＡＰＧＷ６は、上述したステップＡ２２〜Ａ２５の信号送受信と同様の送受信を、ＧＰＲＳ（General Packet Radio Services）でのＰＳについても行う（ステップＡ２８）。
【０１０４】
こうしてステップＡ１７〜Ａ２７によるＵＥ１の位置情報（ＣＳ）をコアネットワークに登録させるトランザクションが完了すると、Femto AP２は、ＩＭＥＩＳＶを含むCheck IMEIのＳＩＰメッセージを生成し、ＭＥＳＳＡＧＥメソッドを用いてＩＰＳＭＧＷ５へ送信する（ステップＡ３２）。
【０１０５】
ＩＰＳＭＧＷ５は、Femto AP２からＭＥＳＳＡＧＥメソッドのＳＩＰメッセージによりCheck IMEI情報を受信すると、Content-Typeの値がCheck IMEIおよびＳＳ制御を示す"application/vnd.3gpp.adtap"であるため、受信した内容をメッセージとして送信する送信先がショートメッセージの場合のＳＭＳＣ９５でなく、ＨＳＳ／ＭＡＰＧＷ６であると判別する。このため、ＩＰＳＭＧＷ５は、受信した内容を例えばＤＩＡＭＥＴＥＲなどの予め定められたＩＰベースのプロトコルのメッセージにマッピングし、こうして変換されたプロトコルのメッセージをＨＳＳ／ＭＡＰＧＷ６に送信する（ステップＡ３３）。
【０１０６】
また、ＩＰＳＭＧＷ５は、Femto AP２に202 AcceptのＳＩＰメッセージを返信する（ステップＡ３４）。
【０１０７】
ＨＳＳ／ＭＡＰＧＷ６は、ＩＰＳＭＧＷ５からCheck IMEI情報を受信すると、ＭＡＰＧＷ機能により、受信したメッセージのProtocol DiscriminatorがCheck IMEIを示すものであることから、メッセージの送信先をＥＩＲ９と判別する。そして、受信したメッセージ内容、すなわちCheck IMEIに応じたメソッドのメッセージであるCheck IMEI-invに受信したＩＭＥＩＳＶを含めてＥＩＲ９に送信する（ステップＡ３５）。
【０１０８】
ＥＩＲ９は、ＩＭＥＩＳＶを含むCheck IMEI情報を受信すると、そのＩＭＥＩＳＶから導出されるＩＭＥＩにより、装置内に格納する不正ＩＭＥＩリストと照合する。受信したCheck IMEI情報から導出されたＩＭＥＩが不正ＩＭＥＩリストに含まれていない場合、"White Listed"を示すCheck IMEI-ackをＨＳＳ／ＭＡＰＧＷ６に送信する（ステップＡ３６）。
【０１０９】
また、ＥＩＲ９がGray Listを示すＩＭＥＩリストを備え、受信したCheck IMEI情報から導出されたＩＭＥＩがそのGray Listを示すＩＭＥＩリストに含まれる場合、"Gray Listed"を示すCheck IMEI-ackをＨＳＳ／ＭＡＰＧＷ６に送信する。
【０１１０】
ＨＳＳ／ＭＡＰＧＷ６は、ＥＩＲ９からCheck IMEI-ackを受信すると、ＭＡＰＧＷ機能により、受信した内容をＤＩＡＭＥＴＥＲなどのプロトコルのメッセージにマッピングし、こうして変換されたプロトコルのメッセージをＩＰＳＭＧＷ５に送信する（ステップＡ３７）。
【０１１１】
ＩＰＳＭＧＷ５は、ＨＳＳ／ＭＡＰＧＷ６からDia-Check IMEI-ackを受信すると、受信した内容をＳＩＰメッセージ内にマッピングし、変換されたＭＥＳＳＡＧＥメソッドのCheck IMEI ResponseメッセージをFemto AP２に送信する（ステップＡ３８）。
【０１１２】
Femto AP２は、ＩＰＳＭＧＷ５からＭＥＳＳＡＧＥメソッドのCheck IMEI Responseメッセージを受信すると、ＩＰＳＭＧＷ５に200 OKのＳＩＰメッセージを返信する（ステップＡ３９）。
【０１１３】
そして、Femto AP２は、ＴＭＳＩ（Temporary Mobile Subscriber Identities）の補捉を３ＧＰＰに準拠した方法で行い、Security Mode Commandの秘匿処理により、捕捉したＴＭＳＩをLocation Update Acceptに含めてＵＥ１に送信する（ステップＡ４０）。
【０１１４】
ＵＥ１は、Location Update Acceptを受信した場合に、Femto AP２で生成されたＴＭＳＩを取得し、TMSI Reallocation CompleteをFemto AP２に送信する。
Femto AP２は、TMSI Reallocation Completeを受信した場合に、ＵＥ１のIMSI.UEとＴＭＳＩとを対応付けて管理する。これにより、Femto AP２は、ＵＥ１の加入者情報（ＣＳ）を管理することになる（ステップＡ４２）。
【０１１５】
この後、ＰＳの位置登録処理などが行われると、Femto AP２はＵＥ１との回線接続を終了する（ステップＡ４１）。
【０１１６】
Ｓ−ＣＳＣＦ４２は、上述したFemto AP２およびＩＰＳＭＧＷ５間の送受信を中継し、ステップＡ３９によるFemto AP２からＩＰＳＭＧＷ５への200 OKのＳＩＰメッセージを中継することで、ＵＥ１についての位置登録が正常に行われたことを認識する。
こうして、ＵＥ１についての位置登録のためのシーケンスが、Ｓ−ＣＳＣＦ４２により信号を中継されるものについて完了したことを契機に、Ｓ−ＣＳＣＦ４２は、ＣＢＣ／ＡＳ９６にSIP:Registerを送信する。Ｓ−ＣＳＣＦ４２は、このSIP:Registerに、Ｐ−ＣＳＣＦ４１から受信したFemto AP２のＳＡＩ、ＧＥＯａｒｅａ、割り当てられているＩＰアドレス（Inner-IP）といったFemto AP２の位置情報と、Registerの有効期限情報と、IMSI.UEやMSISDN.UEといったＵＥ１の特定情報と、を含めて送信する（ステップＡ４３）。
【０１１７】
このステップＡ４３のSIP:Registerは、Femto IMS網のコアネットワークを構成するＳ−ＣＳＣＦ４２からＣＢＣ／ＡＳ９６というFemto IMS網外部の装置宛に送信されるSIP:Register信号、いわゆる3rd Party Register信号である。
【０１１８】
ＣＢＣ／ＡＳ９６は、Ｓ−ＣＳＣＦ４２からのSIP:Registerを受信すると、Ｓ−ＣＳＣＦ４２に200 OKのＳＩＰメッセージを返信する（ステップＡ４４）と共に、SIP:SUBSCRIBEのイベント通知要請を送信する（ステップＡ４５）。
【０１１９】
Ｓ−ＣＳＣＦ４２は、SIP:SUBSCRIBEを受信すると、200 OKのＳＩＰメッセージを返信する（ステップＡ４６）。
【０１２０】
ＣＢＣ／ＡＳ９６は、Ｓ−ＣＳＣＦ４２からの200 OKのＳＩＰメッセージを受信すると、Ｓ−ＣＳＣＦ４２にSIP:NOTIFYのイベント通知を送信する（ステップＡ４７）。
【０１２１】
Ｓ−ＣＳＣＦ４２は、SIP:NOTIFYを受信すると、200 OKのＳＩＰメッセージを返信する（ステップＡ４８）。
【０１２２】
ＣＢＣ／ＡＳ９６は、こうしてFemto AP２のＳＡＩ、ＧＥＯａｒｅａ、割り当てられているＩＰアドレス（Inner-IP）といったFemto AP２の位置情報と、Registerの有効期限情報と、IMSI.UEやMSISDN.UEといったＵＥ１の特定情報と、を3rd Party Registerにより受信する。そして、Femto AP２の位置情報と、行政界情報と、“予報区”の各エリア区分との関連づけを更新して記憶部（不図示）に格納する。また、ＵＥ１の特定情報を、そのFemto AP２の配下として関連付けて記憶部（不図示）に格納する。
【０１２３】
以上、ＵＥ１の初回位置登録の場合について説明したが、図６のＣａｓｅ＃１〜＃３の場合、すなわちコアネットワークへの位置登録が行われるそれぞれの場合についても同様に、ＣＢＣ／ＡＳ９６がFemto AP２の位置情報およびＵＥ１の特定情報を収集、再マッピングし、記憶部に格納することとなる。
【０１２４】
次に、図６のＣａｓｅ＃１〜＃３の場合における図７の構成例２の動作について、すなわちコアネットワークへの位置登録が行われた時に、Femto AP２からの3rd Party Registerにより、ＣＢＣ／ＡＳ９６にそのFemto AP２の位置情報およびＵＥ１の特定情報を登録する場合の動作例について、図９のシーケンス図を参照して説明する。
【０１２５】
この図９に示す動作例では、まず、上述した図８に示す動作例のステップＡ１〜Ａ４２と同様の動作により、ＵＥ１の初回位置登録が正常に完了し、ＩＭＥＩのチェック要求に対して不正でない旨のメッセージが正常応答として返送された場合について示す。
位置登録が正常に完了しない場合や、ＩＭＥＩのチェックにより不正であると判定された場合には、上述した図８に示す動作例と同様に、ＵＥ１は使用不能となり、本動作例によるＣＢＣへの位置情報登録も行われないこととなる。
【０１２６】
ステップＡ４２までの動作によりFemto AP２がＵＥ１のIMSI.UEとＴＭＳＩとを対応付けて管理し、ＵＥ１の初回位置登録が正常に行われると、Femto AP２はＵＥ１との回線接続を終了する（ステップＡ４１）。そして、このIMSI.UEとＴＭＳＩとをＵＥ１の加入者情報として格納したことを契機に、Femto AP２は、ＣＢＣ／ＡＳ９６にSIP:Registerを送信する。Femto AP２は、このSIP:Registerに、自装置のＳＡＩ、ＧＥＯａｒｅａ、割り当てられているＩＰアドレス（Inner-IP）といった位置情報と、Registerの有効期限情報と、IMSI.UEやMSISDN.UEといったＵＥ１の特定情報と、を含めて送信する（ステップB４３）。
【０１２７】
ＣＢＣ／ＡＳ９６は、Femto AP２からのSIP:Register、いわゆる3rd Party Register信号を受信すると、Femto AP２に200 OKのＳＩＰメッセージを返信する（ステップＢ４４）と共に、SIP:SUBSCRIBEのイベント通知要請を送信する（ステップＢ４５）。
【０１２８】
Femto AP２は、SIP:SUBSCRIBEを受信すると、200 OKのＳＩＰメッセージを返信する（ステップＢ４６）。
【０１２９】
ＣＢＣ／ＡＳ９６は、Femto AP２からの200 OKのＳＩＰメッセージを受信すると、Femto AP２にSIP:NOTIFYのイベント通知を送信する（ステップＢ４７）。
【０１３０】
Femto AP２は、SIP:NOTIFYを受信すると、200 OKのＳＩＰメッセージを返信する（ステップＢ４８）。
【０１３１】
ＣＢＣ／ＡＳ９６は、こうしてFemto AP２のＳＡＩ、ＧＥＯａｒｅａ、割り当てられているＩＰアドレス（Inner-IP）といったFemto AP２の位置情報と、Registerの有効期限情報と、IMSI.UEやMSISDN.UEといったＵＥ１の特定情報と、を3rd Party Registerにより受信する。そして、Femto AP２の位置情報と、行政界情報と、“予報区”の各エリア区分との関連づけを更新して記憶部（不図示）に格納する。また、ＵＥ１の特定情報を、そのFemto AP２の配下として関連付けて記憶部（不図示）に格納する。
【０１３２】
以上、ＵＥ１の初回位置登録の場合について説明したが、図６のＣａｓｅ＃１〜＃３の場合、すなわちコアネットワークへの位置登録が行われるそれぞれの場合についても、上述した図８に示す動作例と同様に、ＣＢＣ／ＡＳ９６がFemto AP２の位置情報およびＵＥ１の特定情報を収集、再マッピングし、記憶部に格納することとなる。
【０１３３】
次に、図６のＣａｓｅ＃１〜＃３の場合における図７の構成例３の動作について、すなわちFemto AP２の起動時に、そのFemto AP２からの3rd Party Registerにより、ＣＢＣ／ＡＳ９６にそのFemto AP２の位置情報を登録する場合の動作例について、図１０のシーケンス図を参照して説明する。
【０１３４】
この図１０に示す動作例では、まず、Femto AP２の起動時に、所定の送受信によりそのFemto AP２の認証処理が行われ（ステップＣ１）、IP SecによるベーストンネルがＰＤＧ３との間に確立される（ステップＣ２）。このステップＣ１，Ｃ２の動作は、３ＧＰＰ等の規格に準拠した処理であり、詳細な説明は省略する。
【０１３５】
Femto AP２は、こうしてIP Secによるベーストンネルが確立されたことを契機に、ＣＢＣ／ＡＳ９６にSIP:Registerを送信する。Femto AP２は、このSIP:Registerに、自装置のＳＡＩ、ＧＥＯａｒｅａ、割り当てられているＩＰアドレス（Inner-IP）、IMSI.FAPといった位置情報を含めて送信する（ステップＣ３）。
【０１３６】
ＣＢＣ／ＡＳ９６は、Femto AP２からのSIP:Register、いわゆる3rd Party Register信号を受信すると、Femto AP２に200 OKのＳＩＰメッセージを返信する（ステップＣ４）と共に、SIP:SUBSCRIBEのイベント通知要請を送信する（ステップＣ５）。
【０１３７】
Femto AP２は、SIP:SUBSCRIBEを受信すると、200 OKのＳＩＰメッセージを返信する（ステップＣ６）。
【０１３８】
ＣＢＣ／ＡＳ９６は、Femto AP２からの200 OKのＳＩＰメッセージを受信すると、Femto AP２にSIP:NOTIFYのイベント通知を送信する（ステップＣ７）。
【０１３９】
Femto AP２は、SIP:NOTIFYを受信すると、200 OKのＳＩＰメッセージを返信する（ステップＣ８）。
【０１４０】
ＣＢＣ／ＡＳ９６は、こうしてFemto AP２のＳＡＩ、ＧＥＯａｒｅａ、割り当てられているＩＰアドレス（Inner-IP）、IMSI.FAPといった位置情報を3rd Party Registerにより受信する。そして、Femto AP２の位置情報と、行政界情報と、“予報区”の各エリア区分との関連づけを更新して記憶部（不図示）に格納する。
【０１４１】
次に、図６のＣａｓｅ＃４、すなわちＵＥの電源がＯＦＦ（IMSI.detach）された場合の動作例について、図１１のシーケンス図を参照して説明する。
【０１４２】
ＵＥ１が電源ＯＦＦになると、ＵＥ１は、MM:detach-IndicationをFemto AP２に送信する（ステップＤ１）。Femto AP２は、detach-Indicationを受信した場合に、Message TypeがDe-RegisterであるSIP-De-RegisterをＳ−ＣＳＣＦ４２に送信する（ステップＤ２）。Femto AP２は、IMSI.UEをこのSIP-De-Registerに含めてＳ−ＣＳＣＦ４２に送信する。
【０１４３】
Ｓ−ＣＳＣＦ４２は、SIP-De-Registerを受信すると、登録済みＵＥ１加入者情報（Femto AP２のRegister情報）の削除を受信したと判断し、その位置情報削除の情報を含むDia-Cx-SARをＨＳＳ／ＭＡＰＧＷ６に送信する（ステップＤ３）。
【０１４４】
ＨＳＳ／ＭＡＰＧＷ６は、位置情報削除の情報を含むDia-Cx-SARを受信すると、ＨＬＲ８にPurge MSを送信する。ＨＬＲ８は、Purge MSを受信すると、受信したＵＥ１の位置登録情報を削除し（ステップＤ７）、Purge MS-ackをＨＳＳ／ＭＡＰＧＷ６に送信する。ＨＳＳ／ＭＡＰＧＷ６は、Purge MS-ackを受信すると、ＶＬＲ６１からＵＥ１の位置登録情報を削除する（ステップＤ８）。
また、ＨＳＳ／ＭＡＰＧＷ６は、ＰＳについても同様のPurge MS送受信をＨＬＲ９に対して行う（ステップＤ４）。
【０１４５】
ＨＳＳ／ＭＡＰＧＷ６は、位置情報削除の情報を含むDia-Cx-SAAをＳ−ＣＳＣＦ４２に送信する（ステップＤ５）。
【０１４６】
Ｓ−ＣＳＣＦ４２は、位置情報削除の情報を含むDia-Cx-SAAを受信すると、ＵＥ１についての加入者情報を削除し（ステップＤ９）、SIP-200 OKをFemto AP２に送信する（ステップＤ６）。
【０１４７】
そして、Ｓ−ＣＳＣＦ４２は、ＣＢＣ／ＡＳ９６にSIP:NOTIFYにより加入者情報削除の旨を通知する（ステップＤ１０）。ＣＢＣ／ＡＳ９６は、通知されたＵＥ１の特定情報を削除し、Ｓ−ＣＳＣＦ４２にSIP-200 OKを送信する（ステップＤ１１）。
【０１４８】
以上のようにＣＢＣ／ＡＳ９６におけるデータベースからＵＥ１の特定情報が削除される場合の動作について、図１２の概略例を参照して説明する。
【０１４９】
図１２の例では、ユーザＡのＵＥについての特定情報であるＩＭＳＩ、ＭＳＩＳＤＮをそれぞれＡで示し、Femto AP２ａ（ＦＡＰ＿ａ）についての位置情報であるＧＥＯａｒｅａ、ＳＡＩ、ＩＰアドレスをそれぞれＦＡＰ＿ａで示す。
【０１５０】
ＣＢＣ／ＡＳ９６は、上述のように、行政界情報と、“予報区”の各エリア区分とに、Femto AP２の位置情報と、Femto AP２配下のＵＥ１の特定情報と、を関連づけてデータベースとして格納する。
【０１５１】
こうしたデータベースをＣＢＣ／ＡＳ９６が備えることにより、Femto AP２の位置情報を用いてＣＢＳメッセージの同報配信を行うことができる。また、Femto AP２配下のＵＥ１の特定情報を格納することにより、配下にＵＥ１が在圏していないFemto AP２にはＣＢＳメッセージを配信しないようにすることができる。
【０１５２】
図１２のデータベース例では、下記の条件を一例として説明する。
・  Femto AP２ａ（ＦＡＰ＿ａ）配下にＵＥ＿Ａ、Ｂ、Ｃ、Ｄが在圏
・  Femto AP２ｂ（ＦＡＰ＿ｂ）配下にＵＥ＿Ｅ、Ｆ、Ｇ、Ｈが在圏
・  3rd Party REGSTERにてFemto AP２の位置情報およびＵＥ１の特定情報を登録済み
【０１５３】
こうした条件下でＵＥ＿Ａが電源ＯＦＦ（IMSI.detach）された場合、図１２に示すＣＢＣ／ＡＳ９６のデータベースからＵＥ＿Ａの列が削除される動作となる。
しかし、ＣＢＣ／ＡＳ９６のデータベースにはＵＥ＿Ｂ、Ｃ、Ｄの列が残っているため、ＦＡＰ＿ａの位置情報もＣＢＣ／ＡＳ９６のデータベースに残っていることとなる。従って、ＣＢＣ／ＡＳ９６がＣＢＳメッセージを配信する場合、ＦＡＰ＿ａにもＣＢＳメッセージを配信し、ＦＡＰ＿ａ配下のＵＥ＿Ｂ、Ｃ、ＤにＣＢＳメッセージが配信されることとなる。
【０１５４】
ここで、ＵＥ＿Ｂ、Ｃ、Ｄについても電源ＯＦＦ（IMSI.detach）された場合、図１２に示すＣＢＣ／ＡＳ９６のデータベースからＵＥ＿Ｂ、Ｃ、Ｄの列が削除され、ＦＡＰ＿ａの位置情報が消えてしまうこととなる。従って、ＣＢＣ／ＡＳ９６がＣＢＳメッセージを配信する場合、ＦＡＰ＿ａにはＣＢＳメッセージを配信しないこととなる。
【０１５５】
次に、図６のＣａｓｅ＃５、すなわちＵＥ１がFemto APの配下からMacro網に移動した場合の動作例について、図１３のシーケンス図を参照して説明する。
【０１５６】
ＵＥ１がMacro網に移動すると、移動先のMacro網のＢＴＳ９１からＵＥ１はLocation Update Requestを送信し、ＭＳＣ９３まで送信される（ステップＥ１）。ＭＳＣ９３は、Location Update Requestを受信すると、ＨＬＲ８にMAP Update Locationを送信する（ステップＥ２）。
【０１５７】
ＨＬＲ８は、MAP Update Locationを受信すると、ＨＳＳ／ＭＡＰＧＷ６にMAP-Cancel Location invocationを送信する（ステップＥ３）。ＨＳＳ／ＭＡＰＧＷ６は、MAP-Cancel Location invocationを受信すると、MAP-Cancel Location ackをＨＬＲ８に返信する（ステップＥ４）と共に、Dia-Cx-RTR（Registration-Termination-Request）をＳ−ＣＳＣＦ４２に送信する（ステップＥ５）。
【０１５８】
Ｓ−ＣＳＣＦ４２は、Dia-Cx-RTRを受信した場合に、加入者情報の削除を意味するSIP:NOTIFYをFemto AP２に送信する（ステップＥ６）。
【０１５９】
Femto AP２は、SIP-NOTIFYを受信した場合に、ＵＥ１の加入者情報を削除し、Ｓ−ＣＳＣＦ４２との接続を解放し、SIP-200 OKをＳ−ＣＳＣＦ４２に送信する（ステップＥ７）。
【０１６０】
Ｓ−ＣＳＣＦ４２は、SIP-200 OKを受信した場合に、Dia-Cx-RTA（Registration-Termination-Answer）をＨＳＳ／ＭＡＰＧＷ６に送信する（ステップＥ８）。
【０１６１】
ＨＳＳ／ＭＡＰＧＷ６は、Dia-Cx-RTAを受信すると、ＵＥ１の加入者情報を削除する（ステップＥ９）。
【０１６２】
また、ＨＬＲ８はＭＳＣ９３にMAP-Insert Subscriber Dataを送信する（ステップＥ１０）。ＭＳＣ９３は、MAP-Insert Subscriber Dataを受信すると、MAP-Insert Subscriber Data Ackを返信する（ステップＥ１１）。ＨＬＲ８は、MAP-Update Location AckをＭＳＣ９３に返信する（ステップＥ１２）。こうしてMacro網におけるＭＳＣ９３のＶＬＲにＵＥ１の位置情報が登録される（ステップＥ１３）。
【０１６３】
また、Ｓ−ＣＳＣＦ４２は、上述のステップＥ５でDia-Cx-RTRを受信した場合、上述のステップＥ６で、Femto AP２に対して加入者情報の削除を意味するSIP:NOTIFYを送信するが、同様に、ＣＢＣ／ＡＳ９６に対しても加入者情報の削除を意味するSIP:NOTIFYを送信する（ステップＥ１４）。
【０１６４】
ＣＢＣ／ＡＳ９６は、加入者情報の削除を意味するSIP:NOTIFYを受信すると、ＣＢＣ／ＡＳ９６内に格納するデータベースから受信したＵＥについての特定情報を削除し、Ｓ−ＣＳＣＦ４２にSIP-200OKを送信する（ステップＥ１５）。
【０１６５】
図６のＣａｓｅ＃６、すなわちＵＥがユーザにより解約された場合についても、上述した図１３の動作例と同様に、ＨＬＲ８からのMAP-Cancel Location invocation（ステップＥ３）を契機としてＨＳＳ／ＭＡＰＧＷ６内のＵＥ１の加入者情報が削除され（ステップＥ９）、Ｓ−ＣＳＣＦ４２がその加入者情報の削除を意味するIP:NOTIFYをFemto AP２およびＣＢＣ／ＡＳ９６に送信する（ステップＥ６，Ｅ１４）。
こうして、Femto AP２およびＣＢＣ／ＡＳ９６におけるＵＥ１の情報が削除されることとなる。
【０１６６】
次に、ＣＢＣ／ＡＳ９６が、Femto IMS網に在圏するＵＥ１にＣＢＳメッセージを同報配信する動作について、図１４を参照して説明する。
【０１６７】
ＣＢＣ／ＡＳ９６は、ＣＢＥ９７からＣＢＳメッセージの配信指示を受信すると（ステップＦ１）、ＣＢＣ／ＡＳ９６内に格納するデータベースを参照して、配信指示された“予報区”に対応する行政界情報のエリア区分に含まれるFemto AP２全てにSIP:MESSSAGEを送信する。
【０１６８】
ＳＩＰメッセージには、リクエストの種類を示す各種のメソッドが定義されている。本実施形態のＣＢＣ／ＡＳ９６は、ＳＩＰのＭＥＳＳＡＧＥメソッドでのリクエストメッセージのｂｏｄｙ部にＳＡＢＰ（Service Area Broadcast Protocol）を設定し、ＣＢＳメッセージとして配信する配信内容およびFemto AP２の位置情報を含めてFemto AP２に送信する（ステップＦ２）。
【０１６９】
このステップＦ２でＣＢＣ／ＡＳ９６が送信するSIP:MESSAGEでは、発信元アドレス（Source IP Address）をＣＢＣ／ＡＳ９６のものとして、送信先アドレス（Distination IP Address）をFemto AP２のものとする。すなわち、ステップＦ２でＣＢＣ／ＡＳ９６から配信されるSIP:MESSAGEは、Ｐ−ＣＳＣＦ４１やＳ−ＣＳＣＦ４２を経由せず、ＰＤＧ３から割り当てられたFemto AP２のＩＰアドレス（Inner-IP）宛てに直接送信される。
【０１７０】
また、ＣＢＣ／ＡＳ９６およびFemto AP２は、送受信されるSIP:MESSAGEに設定されるＳＡＢＰについて、既存３Ｇ網に対して規定されている各種メッセージタイプの内、Write-Replaceのみをサポートするものとする。
【０１７１】
Femto AP２は、SIP:MESSAGEを受信すると、発信元アドレスやＦｒｏｍヘッダなどから、ＣＢＣ／ＡＳ９６から送信されたSIP:MESSAGEであると認知して受理する。
ここで、Femto AP２は、受信したSIP:MESSAGEがＣＢＣ／ＡＳ９６以外からのものである場合、セキュリティ確保のために受理せず、そのまま破棄する。
【０１７２】
また、Femto AP２は、Femto AP-OSS２１により予め登録されているＳＡＩと、ＣＢＣ／ＡＳ９６から受信したSIP:MESSAGEに設定されているＳＡＩとを比較する。一致する場合、Femto AP２は、SIP:MESSAGEのＢｏｄｙ部にSABP:Write-Replaceとして含まれているＣＢＳメッセージの配信内容を、既存３Ｇ網と同様のＢＭＣ（Broadcast/Multicast Control）に変換して配下の各ＵＥ１に送信する（ステップＦ３）。
【０１７３】
こうしてＵＥ１へのＣＢＳメッセージ報知が完了すると、Femto AP２は、ＣＢＣ／ＡＳ９６にSIP-200OKを返信する（ステップＦ４）。ＣＢＣ／ＡＳ９６は、受信したSIP-200OKをSABP:Write-Replace-Completeとして扱い、ＣＢＳメッセージの報知完了として受理する。
【０１７４】
次に、上述した図１４でのＣＢＳメッセージ配信における配信失敗時の動作例について説明する。
【０１７５】
上述したステップＦ２で、Femto AP２がＣＢＣ／ＡＳ９６からSIP:MESSAGEを受信し、Femto AP-OSS２１により予め登録されているＳＡＩと、ＣＢＣ／ＡＳ９６から受信したSIP:MESSAGEに設定されているＳＡＩとを比較した時に、両者が一致しない場合、Femto AP２は、ＵＥ１へのＣＢＳメッセージ配信を行わずに配信内容を破棄し、SIP-4xxのエラーレスポンスをＣＢＣ／ＡＳ９６に返信する（ステップＦ５）。
【０１７６】
ＣＢＣ／ＡＳ９６は、受信したSIP-4xxをSABP:Write-Replace-Failureとして扱い、ＣＢＳメッセージの配信失敗として受理する。
【０１７７】
また、Femto AP２の内部エラーなどでＵＥ１にＣＢＳメッセージ配信が正常に行われなかった場合にも、同様に、Femto AP２がSIP-4xxのエラーレスポンスをＣＢＣ／ＡＳ９６に返信することとなる。
【０１７８】
次に、図１４に示すＣＢＳメッセージの配信動作例による効果について説明する。
Femto AP２のＩＰアドレスはＰＤＧ３から割り当てられているため、そのFemto AP２が再起動すると割り当てられるＩＰアドレスが変化してしまう。
本動作例では、Femto AP２の再起動などによっても変化することのないＳＡＩを用いて、Femto AP２がＣＢＣ／ＡＳ９６からのSIP:MESSAGEをチェックするため、簡単な処理で、こうしたＩＰアドレスの変化による誤配信を防止し、確実なＣＢＳメッセージ配信を行うことができる。
【０１７９】
次に、ＣＢＣ／ＡＳ９６からＣＢＳメッセージを同報配信する他の動作例について、図１５を参照して説明する。
【０１８０】
図１５の動作例では、図１４の動作例におけるステップＦ１，Ｆ２と同様の動作によりFemto AP２がＣＢＣ／ＡＳ９６からSIP:MESSAGEを受信する（ステップＧ１，Ｇ２）。
Femto AP２は、ＣＢＣ／ＡＳ９６から受信したSIP:MESSAGEに設定されているＳＡＩと、Femto AP-OSS２１により予め登録されているＳＡＩとを比較し、一致する場合、上述したステップＦ３と同様の動作により、ＣＢＳメッセージをＢＭＣに変換して配下の各ＵＥ１に送信する（ステップＧ３）。
【０１８１】
こうしてＵＥ１へのＣＢＳメッセージ報知が完了すると、Femto AP２は、SIP-200OKをＣＢＣ／ＡＳ９６に返信する（ステップＧ４）。Femto AP２は、このSIP-200OKのＢｏｄｙ部にSABP:Write-Replace-Completeの情報を含め、発信元アドレスをFemto AP２のものとして、送信先アドレスをＣＢＣ／ＡＳ９６のものとする。
【０１８２】
また、上述したステップＧ２でのSIP:MESSAGEの受信後に、Femto AP２が、ＣＢＣ／ＡＳ９６から受信したSIP:MESSAGEに設定されているＳＡＩと、Femto AP-OSS２１により予め登録されているＳＡＩとを比較し、両者が一致しない場合、ＵＥ１へのＣＢＳメッセージ配信を行わずに配信内容を破棄し、SIP-4xxのエラーレスポンスをＣＢＣ／ＡＳ９６に返信する。Femto AP２は、このSIP-4xxのＢｏｄｙ部にSABP:Write-Replace-Failureの情報を含め、発信元アドレスをFemto AP２のものとして、送信先アドレスをＣＢＣ／ＡＳ９６のものとする。
【０１８３】
以上のように、図１５に示す動作例では、Femto AP２からＣＢＣ／ＡＳ９６に返信するSIP-200OKまたはSIP-4xxのＢｏｄｙ部にＳＡＢＰ応答信号を含めることで、ＣＢＣ／ＡＳ９６により応答信号のチェックができ、ＣＢＳメッセージの誤配信をより確実に防止することができる。このため、より確実なＣＢＳメッセージ配信を行うことができる。
【０１８４】
次に、ＣＢＣ／ＡＳ９６からＣＢＳメッセージを同報配信するさらに他の動作例について、図１６を参照して説明する。
【０１８５】
図１６の動作例では、図１４の動作例におけるステップＦ１，Ｆ２と同様の動作によりFemto AP２がＣＢＣ／ＡＳ９６からSIP:MESSAGEを受信する（ステップＨ１，Ｈ２）。Femto AP２は、ＣＢＣ／ＡＳ９６にSIP-202Acceptを返信し（ステップＨ３）、ＣＢＣ／ＡＳ９６から受信したSIP:MESSAGEに設定されているＳＡＩと、Femto AP-OSS２１により予め登録されているＳＡＩとを比較する。一致する場合、上述した図１４ステップＦ３と同様の動作により、ＣＢＳメッセージをＢＭＣに変換して配下の各ＵＥ１に送信する（ステップＨ４）。
【０１８６】
こうしてＵＥ１へのＣＢＳメッセージ報知が完了すると、Femto AP２は、SIP:MESSAGEをＣＢＣ／ＡＳ９６に返信する（ステップＨ５）。Femto AP２は、このSIP:MESSAGEのＢｏｄｙ部にSABP:Write-Replace-Completeの情報を含め、発信元アドレスをFemto AP２のものとして、送信先アドレスをＣＢＣ／ＡＳ９６のものとする。
【０１８７】
ＣＢＣ／ＡＳ９６は、SIP:MESSAGEを受信すると、SIP-200OKをFemto AP２に返信する（ステップＨ６）。
【０１８８】
また、上述したステップＨ２でのSIP:MESSAGEの受信後に、Femto AP２が、ＣＢＣ／ＡＳ９６にSIP-202Acceptを返信し、ＣＢＣ／ＡＳ９６から受信したSIP:MESSAGEに設定されているＳＡＩと、Femto AP-OSS２１により予め登録されているＳＡＩとを比較し、両者が一致しない場合、ＵＥ１へのＣＢＳメッセージ配信を行わずに配信内容を破棄し、SIP:MESSAGEのＢｏｄｙ部にSABP:Write-Replace-Failureの情報を含め、ＣＢＣ／ＡＳ９６に返信する。このSIP:MESSAGEについても、上述したステップＨ５と同様に、発信元アドレスをFemto AP２のものとして、送信先アドレスをＣＢＣ／ＡＳ９６のものとする。
【０１８９】
ＣＢＣ／ＡＳ９６は、SIP:MESSAGEを受信すると、上述したステップＨ６と同様にSIP-200OKをFemto AP２に返信する。
【０１９０】
以上のように、図１６に示す動作例では、Femto AP２がＣＢＣ／ＡＳ９６からのSIP:MESSAGEに対してSIP-202Acceptを返信する。また、Femto AP２からＣＢＣ／ＡＳ９６への返信にSIP:MESSAGEを用いて、そのＢｏｄｙ部にＳＡＢＰ応答信号を含める。このため、Femto AP２とＣＢＣ／ＡＳ９６との間の通信をより確実にチェックすることができ、ＣＢＳメッセージの誤配信をより確実に防止することができる。このため、より確実なＣＢＳメッセージ配信を行うことができる。
【０１９１】
以上のように、上述した実施形態によれば、ＣＢＣ／ＡＳ９６がFemto AP２の位置情報およびＵＥの特定情報を収集することで、収集の度にFemto AP２の位置情報と、配下のＵＥの特定情報と、行政界情報と、“予報区”の各エリア区分との関連づけを更新していくことができる。このため、Femto AP２を備えた通信システムにおいても、確実にＣＢＳメッセージを配信できるように、ＣＢＣ／ＡＳ９６がエリア管理することができる。
【０１９２】
また、ＣＢＳメッセージの同報配信時に、Femto AP２がＳＡＩによる誤配信チェックを行うため、緊急性の高いＣＢＳメッセージを誤配信してしまうことなく、確実に所定エリア区分にあるFemto AP２配下のＵＥに配信することができる。
【０１９３】
なお、上述した各実施形態は本発明の好適な実施形態であり、本発明はこれに限定されることなく、本発明の技術的思想に基づいて種々変形して実施することが可能である。
【０１９４】
例えば、上述した実施形態では、通信システムがＰ−ＣＳＣＦとＳ−ＣＳＣＦとを備える構成として説明したが、ＣＳＣＦとして機能させることができれば１つのコール状態制御サーバであってもよい。この場合、そのコール状態制御サーバが、上述した実施形態におけるＰ−ＣＳＣＦとＳ−ＣＳＣＦとの機能を備えることとなる。
【０１９５】
このように、本明細書における「装置」とは、所定の機能を実現するハードウェアとソフトウェア（又は所定の機能を実現する機能モジュール）が論理的に集合したもののことであり、各装置や各機能モジュールが単一の筐体内にあるか否かは特に問われるものではない。
【０１９６】
また、上述した実施形態では、ＣＢＣ／ＡＳ９６のエリア管理用データベースについて、配信エリア区分が、行政界情報および“予報区”であり、この行政界情報にFemto AP２の位置情報およびＵＥ１の特定情報が関連付けられることとして説明したが、所定の配信エリア区分に存在するFemto AP２にＣＢＳメッセージを配信できればこの構成に限定されず、他の配信エリア区分であってもよい。
【０１９７】
また、上述した実施形態では、ＣＢＳメッセージの配信を行う構成について説明したが、ＣＢＣ／ＡＳ９６が上述のようにFemto AP２の位置情報といったエンドユーザ情報を管理することにより、他のサービスも提供する構成であってもよい。
例えば、通知対象として登録されたユーザのＵＥがFemto AP２の配下に在圏した時に、通知サービスの登録ユーザに在圏した旨の通知を行うといった「離圏在圏サービス」も提供することができる。この離圏在圏サービスは、例えば通知サービスの登録ユーザである親や家族等が、子どものＵＥが自宅のFemto AP２配下に在圏するかどうかを通知対象として登録することにより、子どもの帰宅通知を遠隔で受信することができるようにするものである。
このサービスを行う構成の場合、ＣＢＣ／ＡＳ９６は、最小限としてUE.IMSI、MSISDN、FAP IPアドレスのみを管理するだけでも実現可能であり、データベースの管理対象データをシンプルなものとすることができる。そして、このＣＢＣ／ＡＳ９６のエンドユーザ情報管理に基づいて、通知対象ＵＥがFemto AP２の配下に在圏した時、上述した実施形態のようにして通知サービスの登録ユーザＵＥに在圏の旨を送信することとなる。
【０１９８】
また、上述した実施形態としてのFemto AP２、Ｓ−ＣＳＣＦ４２、ＣＢＣ／ＡＳ９６等の各装置を実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばフレキシブルディスク、ハードディスク、光ディスク、光磁気ディスク、ＣＤ-ＲＯＭ、ＣＤ-Ｒ、ＣＤ-ＲＷ、ＤＶＤ-ＲＯＭ、ＤＶＤ-ＲＡＭ、ＤＶＤ-ＲＷ、ＤＶＤ+ＲＷ、磁気テープ、不揮発性のメモリーカード、ＲＯＭ等を用いてよい。
【０１９９】
この本発明に係るプログラムによれば、当該プログラムによって制御される各装置に、上述した実施形態における各機能を実現させることができる。
【符号の説明】
【０２００】
１    ＵＥ（無線端末の一例）
２    Femto AP（フェムトセル用基地局の一例）
２１    Femto AP-OSS
３    ＰＤＧ
４１    Ｐ−ＣＳＣＦ
４２    Ｓ−ＣＳＣＦ（コール状態制御装置の一例）
５    ＩＰＳＭＧＷ
６    ＨＳＳ／ＭＡＰＧＷ
７    ＡＡＡ
８    ＨＬＲ
９    ＥＩＲ
９１    ＢＴＳ
９２    ＲＮＣ
９３    ＭＳＣ
９４    ＶＬＲ
９５    ＳＭＳＣ
９６    ＣＢＣ／ＡＳ（同報配信制御装置の一例）
９７    ＣＢＥ
【図１】
0005517199.tif 000002
【図２】
0005517199.tif 000003
【図３】
0005517199.tif 000004
【図４】
0005517199.tif 000005
【図５】
0005517199.tif 000006
【図６】
0005517199.tif 000007
【図７】
0005517199.tif 000008
【図８】
0005517199.tif 000009
【図９】
0005517199.tif 000010
【図１０】
0005517199.tif 000011
【図１１】
0005517199.tif 000012
【図１２】
0005517199.tif 000013
【図１３】
0005517199.tif 000014
【図１４】
0005517199.tif 000015
【図１５】
0005517199.tif 000016
【図１６】
0005517199.tif 000017
【図１７】
0005517199.tif 000018